(57)【要約】【課題】車載器においてセンター装置によるコンテンツ情報の送信を中止させることを可能とし、コンテンツ情報を受信する際のユーザの利便性を向上させること。【解決手段】コンテンツ情報を送信するセンター装置３０と、当該コンテンツ情報を受信する車載器１０とを備える配信システムにおいて、車載器１０は、コンテンツ情報の受信中止を指示するキャンセルボタンＢ１と、キャンセルボタンＢ１により受信中止の指示がなされた場合、コンテンツ情報の送信を中止させる制御情報をセンター装置３０に送信させる制御部と、を有し、センター装置３０は、車載器１０から送信される制御情報（車載器１０の特性情報、受信中止通知情報）に基づいてコンテンツ情報の送信を中止する制御部を有する。【選択図】図７
2009230261.tif 000002
【特許請求の範囲】
【請求項１】
コンテンツ情報を送信するセンター装置と、当該コンテンツ情報を受信する車載器とを備える配信システムにおいて、
前記車載器は、
前記コンテンツ情報の受信中止を指示する操作手段と、
前記操作手段により受信中止の指示がなされた場合、前記コンテンツ情報の送信を中止させる制御情報を前記センター装置に送信させる第１制御手段と、
を有し、
前記センター装置は、
前記車載器から送信される前記制御情報に基づいて前記コンテンツ情報の送信を中止する第２制御手段を有する。
【請求項２】
前記車載器の第１制御手段は、
前記操作手段により受信中止の指示がなされた場合、前記センター装置との通信状態を初期化し、また、当該車載器の機器特性を示す特性情報を変更して当該変更した特性情報を前記制御情報として前記センター装置に送信させ、
前記センター装置の第２制御手段は、
前記車載器から受信した前記特性情報に応じて、当該車載器へのコンテンツ情報の送信を中止する、
請求項１に記載の配信システム。
【請求項３】
前記車載器の第１制御手段は、
前記特性情報として、前記コンテンツ情報を記憶する記憶手段の容量不足を示す情報を前記センター装置に送信させ、
前記センター装置の第２制御手段は、
前記車載器から前記記憶手段の容量不足を示す特性情報を受信した場合、当該車載器へのコンテンツ情報の送信を中止する、
請求項２に記載の配信システム。
【請求項４】
前記車載器の第１制御手段は、
前記特性情報として前記記憶手段のコンテンツ情報の記憶可能容量を示すメモリ容量を０に書き換え、当該特性情報を前記センター装置に送信させ、
前記センター装置の第２制御手段は、
前記車載器からメモリ容量が０の特性情報を受信した場合、当該車載器へのコンテンツ情報の送信を中止する、
請求項２又は３に記載の配信システム。
【請求項５】
前記車載器の第１制御手段は、
前記制御情報として、前記コンテンツ情報の受信の中止を示す受信中止通知情報を前記センター装置に送信させ、
前記センター装置の第２制御手段は、
前記車載器から前記受信中止通知情報を受信した場合、当該車載器へのコンテンツ情報の送信を中止する、
請求項１に記載の配信システム。
【請求項６】
センター装置から送信されるコンテンツ情報を受信する車載器において、
前記車載器は、
前記コンテンツ情報の受信中止を指示する操作手段と、
前記操作手段により受信中止の指示がなされた場合、前記コンテンツ情報の送信を中止させる制御情報を前記センター装置に送信させる制御手段と、
を備える。
【請求項７】
前記制御手段は、
前記操作手段により受信中止の指示がなされた場合、前記センター装置との通信状態を初期化し、また、当該車載器の機器特性を示す特性情報を変更して当該変更した特性情報を前記制御情報として前記センター装置に送信させる、
請求項６に記載の車載器。
【請求項８】
前記制御手段は、
前記特性情報として、前記コンテンツ情報を記憶する記憶手段の容量不足を示す情報を前記センター装置に送信させる、
請求項７に記載の車載器。
【請求項９】
前記制御手段は、
前記特性情報として前記記憶手段のコンテンツ情報の記憶可能容量を示すメモリ容量を０に書き換え、当該特性情報を前記センター装置に送信させる、
請求項７又は８に記載の車載器。
【請求項１０】
前記制御手段は、
前記制御情報として、前記コンテンツ情報の受信の中止を示す受信中止通知情報を前記センター装置に送信させる、
請求項６に記載の車載器。
【発明の詳細な説明】
【技術分野】
【０００１】
本発明は、配信システム及び車載器に関する。
【背景技術】
【０００２】
近年、ナビゲーション装置のような車載器では、ＤＳＲＣ（Dedicated Short Range Communication）等を利用して路上に設置された路側無線装置と狭域無線通信を行い、当該路側無線装置を介してセンター装置から情報提供を受けることが可能となっている（例えば、特許文献１、２参照）。
【０００３】
このような車載器を用いたシステムは、車両が路側無線装置の通信範囲内にある間のみ、車両に搭載された車載器と路側無線装置との双方向通信が可能となり、この間にセンター装置が路側無線装置を介して、コンテンツ情報（例えば、周辺の店舗や医療機関の情報、広告等）を配信するのである。
【特許文献１】特開２００１−１０１５７８号公報
【特許文献２】特開２００４−２７９５０９号公報
【発明の開示】
【発明が解決しようとする課題】
【０００４】
しかしながら、上述したような配信システムでは、路側無線装置の通信エリアに進入した車載器に対し、センター装置側から一方的にコンテンツ情報を送信するため、車載器側では送信されたコンテンツ情報を受信するのみであって、車載器側からコンテンツ情報の送信を中止させることができない。特に、送信されるコンテンツ情報の容量が大きい場合には、受信に長時間要することとなり、ユーザがコンテンツ情報の受信を切り上げたい場合等も考えられるが、受信が完了するまで待たなくてはならない。
【０００５】
本発明の課題は、上記問題に鑑みて、車載器においてセンター装置によるコンテンツ情報の送信を中止させることを可能とし、コンテンツ情報を受信する際のユーザの利便性を向上させることである。
【課題を解決するための手段】
【０００６】
請求項１に記載の発明は、コンテンツ情報を送信するセンター装置と、当該コンテンツ情報を受信する車載器とを備える配信システムにおいて、前記車載器は、前記コンテンツ情報の受信中止を指示する操作手段と、前記操作手段により受信中止の指示がなされた場合、前記コンテンツ情報の送信を中止させる制御情報を前記センター装置に送信させる第１制御手段と、を有し、前記センター装置は、前記車載器から送信される前記制御情報に基づいて前記コンテンツ情報の送信を中止する第２制御手段を有する、ことを特徴としている。
【０００７】
請求項２に記載の発明は、請求項１に記載の配信システムにおいて、前記車載器の第１制御手段は、前記操作手段により受信中止の指示がなされた場合、前記センター装置との通信状態を初期化し、また、当該車載器の機器特性を示す特性情報を変更して当該変更した特性情報を前記制御情報として前記センター装置に送信させ、前記センター装置の第２制御手段は、前記車載器から受信した前記特性情報に応じて、当該車載器へのコンテンツ情報の送信を中止する、ことを特徴としている。
【０００８】
請求項３に記載の発明は、請求項２に記載の配信システムにおいて、前記車載器の第１制御手段は、前記特性情報として、前記コンテンツ情報を記憶する記憶手段の容量不足を示す情報を前記センター装置に送信させ、前記センター装置の第２制御手段は、前記車載器から前記記憶手段の容量不足を示す特性情報を受信した場合、当該車載器へのコンテンツ情報の送信を中止する、ことを特徴としている。
【０００９】
請求項４に記載の発明は、請求項２又は３に記載の配信システムにおいて、前記車載器の第１制御手段は、前記特性情報として前記記憶手段のコンテンツ情報の記憶可能容量を示すメモリ情報を０に書き換え、当該特性情報を前記センター装置に送信させ、前記センター装置の第２制御手段は、前記車載器からメモリ情報が０の特性情報を受信した場合、当該車載器へのコンテンツ情報の送信を中止する、ことを特徴としている。
【００１０】
請求項５に記載の発明は、請求項１に記載の配信システムにおいて、前記車載器の第１制御手段は、前記制御情報として、前記コンテンツ情報の受信の中止を示す受信中止通知情報を前記センター装置に送信させ、前記センター装置の第２制御手段は、前記車載器から前記受信中止通知情報を受信した場合、当該車載器へのコンテンツ情報の送信を中止する、ことを特徴としている。
【００１１】
請求項６に記載の発明は、センター装置から送信されるコンテンツ情報を受信する車載器において、前記車載器は、前記コンテンツ情報の受信中止を指示する操作手段と、前記操作手段により受信中止の指示がなされた場合、前記コンテンツ情報の送信を中止させる制御情報を前記センター装置に送信させる制御手段と、を備えることを特徴としている。
【００１２】
請求項７に記載の発明は、請求項６に記載の車載器において、前記制御手段は、前記操作手段により受信中止の指示がなされた場合、前記センター装置との通信状態を初期化し、また、当該車載器の機器特性を示す特性情報を変更して当該変更した特性情報を前記制御情報として前記センター装置に送信させる、ことを特徴としている。
【００１３】
請求項８に記載の発明は、請求項７に記載の車載器において、前記制御手段は、前記特性情報として、前記コンテンツ情報を記憶する記憶手段の容量不足を示す情報を前記センター装置に送信させる、ことを特徴としている。
【００１４】
請求項９に記載の発明は、請求項７又は８に記載の車載器において、前記制御手段は、前記特性情報として前記記憶手段のコンテンツ情報の記憶可能容量を示すメモリ情報を０に書き換え、当該特性情報を前記センター装置に送信させる、ことを特徴としている。
【００１５】
請求項１０に記載の発明は、請求項６に記載の車載器において、前記制御手段は、前記制御情報として、前記コンテンツ情報の受信の中止を示す受信中止通知情報を前記センター装置に送信させる、ことを特徴としている。
【発明の効果】
【００１６】
本発明によれば、車載器においてセンター装置によるコンテンツ情報の送信を中止させることが可能となり、コンテンツ情報を受信する際のユーザの利便性を向上させることができる。
【発明を実施するための最良の形態】
【００１７】
［第１実施形態］
まず、構成を説明する。
図１に、第１実施形態における配信システム１００の構成図を示す。
配信システム１００は、図１に示すように、車両Ｃに搭載された車載器１０、路側無線装置２０、センター装置３０を含んで構成され、センター装置３０が路側無線装置２０を介して車載器１０にコンテンツ情報を送信する。
路側無線装置２０は路上や駐車場等に設置され、各路側無線装置２０はネットワークＮを介してセンター装置３０と接続されている。また、路側無線装置２０と、車両Ｃの車載器１０とは無線通信が可能である。
【００１８】
なお、コンテンツ情報とは、データ形式等の詳細は後述するが、店舗の広告や駐車場、医療施設の案内等のコンテンツ（テキスト情報、画像情報、音情報など）の他、コンテンツ情報を提供する事業者に関する情報、コンテンツ情報の有効期限の情報（例えば、有効期限の開始と終了の日時）、サービスを提供可能な対象地点の情報（例えば、広告している店舗の地点を示す緯度経度や店舗名等）が含まれる。例えば、目的地等の情報を含むコンテンツ情報であれば緯度経度情報も格納されているが、コンテンツ情報に目的地等の情報が含まれなければ緯度経度情報は必要がなく、当該情報を示すデータ領域には情報は格納されない。他にも、コンテンツ情報として、当該コンテンツ情報の通知を行うためのポップアップ再生を行うべき再生地点（例えば、ポップアップの再生地点を示す緯度経度、ポップアップを再生する道路種別や車両の進入方向を指定する情報等）、コンテンツの表示画面の遷移情報（次に表示する画面を指定する情報等）、嗜好情報等を含む情報が格納されていてもよい。
【００１９】
図１では１台のセンター装置３０のみ示したが、コンテンツ情報を送信する配信事業者は複数あり、センター装置３０は配信事業者毎に備えられるものであってもよい。
【００２０】
以下、各構成装置について詳細に説明する。
路側無線装置２０は、図２に示すように本体装置２０ａとアンテナ２０ｂとから構成されている。路側無線装置２０は、道路脇、道路上方又は駐車場脇等に設置されたアンテナ２０ｂから、到達距離が限定されたＤＳＲＣの電波を放射して、路側無線装置２０近傍に路側エリアＺを形成する。この路側エリアＺ内にある車両Ｃの車載器１０とだけ双方向狭域無線通信が可能となる。以下、路側無線装置２０と車載器１０間の狭域無線通信を路車間通信という場合がある。
【００２１】
ＤＳＲＣは５．８ＧＨｚ帯域の電波を使った通信方式であり、その通信範囲は例えば数メートルから数十メートルである。
【００２２】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａは、情報処理や通信制御を行う制御部、記憶部等を備えたコンピュータ端末を適用することができる。尚、ここでは本体装置２０ａはセンター装置３０と別体として説明したが、本体装置２０ａがセンター装置３０の一部又は全ての機能を兼ね備えるようにしても良い。
【００２３】
車載器１０は、車両Ｃに搭載され、搭載された車両Ｃを目的地へ誘導するための処理等を行うナビゲーション機能の他、ＤＳＲＣによるＥＴＣ（Electronic Toll Collection System）利用のための処理を行う機能等を有している。
【００２４】
図３に、路側無線装置２０を介してセンター装置３０から車載器１０に配信（送信）されるコンテンツ情報のデータ構成例を示す。
図３に示すように、センター装置３０から１又は複数の情報グループが配信され、車載器１０ではこれらの情報グループを受信して蓄積することとなる。ここで、図３に示す情報グループ１、２、・・・ｎのそれぞれがコンテンツ情報であり、車載器１０においてはコンテンツ情報を単位として再生処理が行われる。
【００２５】
図３に示すように、１つの情報グループは、情報の内容により分類された複数の要素により特徴付けられた情報を持ち、カーナビにおいて表示されるコンテンツの１または数ページ分に相当するものである。
各構成要素はＩＤ番号（００、０１、・・等）と当該ＩＤ番号に対応して格納される実データからなる。図３において、情報グループ１を構成するコンテンツ情報には、ＩＤ００（ＩＤ番号が“００”であることを示す、以下同じ）、ＩＤ０１、ＩＤ０２、ＩＤ０３、ＩＤ０４、ＩＤ０５、ＩＤ１０、ＩＤ３０・・・で規定される情報が含まれていることを示している。
【００２６】
図４に、各ＩＤの情報の概要を示す。
図４に示すように、ＩＤ毎に情報の内容が分類されている。
なお、情報グループに含まれる各ＩＤに対応する情報にはヘッダ情報（図示せず）が含まれており、各ＩＤに含まれている情報量を示す情報バイト等、各ＩＤに対応する内容を示す情報やフラグ等がヘッダ情報として格納されている。
【００２７】
「ＩＤ００」の情報は、情報グループが持つＩＤの一覧を示す。このＩＤ００中の各ＩＤの有無を確認することにより、当該各ＩＤが存在するか否かを即時に判断することができる。ここで、それぞれの情報グループは必ずしも全てのＩＤを持つわけではなく必要なＩＤのみを持つ。例えば、ある情報グループはＩＤ００〜０５により特徴付けられた情報を持ち、また別のある情報グループはＩＤ００〜ＩＤ０５、ＩＤ１０、ＩＤ３０により特徴付けられた情報を持つ。尚、ＩＤ００、ＩＤ０１、ＩＤ０２は基本的な情報であり、全ての情報グループは、これらのＩＤの情報を持つ。
【００２８】
「ＩＤ０１」の情報は、サービス事業者の情報を示す。例えば、サービス事業者に一意に付与されたサービス事業者コード等である。他にもサービス事業者に関するテキスト情報としてサービス事業者表示テキストや、サービス事業者やサービス名称等を車載器１０の利用者に音声で通知する際に用いられるサービス事業者表音文字列が格納されてもよい。
【００２９】
「ＩＤ０２」の情報は、コンテンツの詳細情報を示す。例えば、サービス事業者によって割り当てられるコンテンツの情報提供元を示す企業コード、サービス事業者が情報グループ（コンテンツ情報）毎にユニークに割り付けられ、後述するＩＤ３０の遷移情報等に使用される情報コード、コンテンツ情報が属する嗜好情報のカテゴリを示すコードを示す嗜好データカテゴリ等である。他にも、サービス事業者が配信するコンテンツ情報の提供元である企業に関するテキスト情報をユーザに通知する際に用いられる企業表示テキストや音声で通知する際に用いられる企業表音文字列等をＩＤ０２のコンテンツの詳細情報として格納してもよい。
【００３０】
「ＩＤ０３」の情報は、ＩＤ１０で配信されたコンテンツの再生条件の情報を示す。例えば、受信したコンテンツを通信エリア外でも利用可能なコンテンツとして蓄積するか、受信完了後に即時再生するコンテンツかを表す識別子としての即時再生／蓄積コード、情報提供地点で定義されたエリア内で指定されたコンテンツを再生できない場合の挙動を規定する識別子としての再生条件コード等である。
【００３１】
「ＩＤ０４」の情報は、コンテンツ情報の有効期限の情報を示す。例えば、受信したコンテンツ情報の開始年月日時分や終了年月日時分を秒単位で示している。
【００３２】
「ＩＤ０５」の情報は、ＩＤ１０で示された店舗等の営業時間やサービスを提供できる時間等を示す。
【００３３】
「ＩＤ１０」の情報は、対象地点の情報を示す。対象地点とは、サービスの提供を行う店舗や施設等をいう。対象地点の情報としては、例えば、対象地点の位置を示す対象地点座標（緯度経度）、対象地点名称等を示す対象地点表示用テキスト、テキスト・画像・音声等のコンテンツ、対象地点の情報をＩＰ通信により提供する際のＵＲＬ、対象地点を地図上に表示する際に使用されるアイコン画像、提携駐車場情報等の地点に関する情報とコンテンツの実データからなる。なお、対象地点が存在しないコンテンツ情報の場合は、画面遷移のための説明の情報が格納されていてもよい。
【００３４】
「ＩＤ２０」の情報は、コンテンツのポップアップを再生させたい情報提供エリア（情報提供地点）に関する情報を示す。例えば、ポップアップ情報を再生する緯度経度情報を示す情報提供中心座標、中心座標からの半径情報を示す情報提供エリア、ポップアップ情報を再生する情報提供方向を示す情報提供方向コードや道路種別を示す情報提供道路種別、ポップアップ再生する静止画のデータとしての表示画像データや表音文字列データ、圧縮音声データ、ポップアップ再生する音声データの再生順番を表す音声再生順等からなる。つまり、実際にポップアップされてユーザに通知される内容はＩＤ２０の表示画像や音声等のデータである。
【００３５】
「ＩＤ３０」の情報は、遷移情報（次に表示する画面（遷移先）を指定する情報等）を示す。例えば、次の遷移先の情報コードを示す次再生情報コード等からなる。
【００３６】
「ＩＤ４０」の情報は詳細情報と呼ばれるＩＤ１０のコンテンツに関する詳細な情報であり、串刺し検索等を実現するために用いられる。例えば、コンテンツの内容の説明をするためのテキスト情報等が格納される詳細情報、サービス対象地点や画面遷移の案内を行う表示用文字データ、音声によってユーザに伝達するための表音文字列等からなる。
【００３７】
「ＩＤ５０」の情報は予め登録されている駐車場に関する駐車場情報を示す。例えば、情報配信装置において予め登録されている駐車場の駐車場ＩＤ、満空情報等である。満空情報とは満車、空車の状況や、満車率等の混み具合を示す情報である。
【００３８】
「ＩＤ６０」の情報は駐車場の出入口付近／駐車場内合流／分岐・速度案内等、敷地内の運転に関して、運転の補助となる運転支援情報を示す。例えば、運転支援のための画像、当該コンテンツを受信した際に情報の内容を発話することによりユーザに対して知らせるための音声案内を行うのに用いられる表音文字列、圧縮音声、音声の再生順の情報等である。
【００３９】
「ＩＤ８０」の情報は、サービス事業者が配信するコンテンツを最大９６項目に分類して、利用者の嗜好に合わせて配信するコンテンツを選択するために利用される嗜好データを示す。例えば、嗜好データのテーブルのバージョン情報、そのバージョン情報で定められているテーブルの表示用テキスト情報、表音文字列、詳細情報等からなる。
なお、この他、異なる番号のＩＤを付与して新たな情報内容を定義してもよい。
【００４０】
図５に、第１実施形態における車載器１０の構成図を示す。
図５に示すように、車載器１０は、カーナビ部１、通信モジュール２、ＤＳＲＣ部３、制御部４等を備えて構成されている。なお、インターネットに接続可能な通信部を備えてもよい。
【００４１】
カーナビ部１は、カーナビ制御部１ａ、現在地検出部１ｂ、地図記憶部１ｃ、入力部１ｄ、表示部１ｅ、記憶部１ｆ、音声出力部１ｇ等を備え、車両Ｃの現在地から目的地までの経路を算出し、当該経路に従って車両Ｃを目的地へ誘導するための処理を行う。
【００４２】
カーナビ制御部１ａは、現在地検出部１ｂから検出された現在地の位置情報及び地図記憶部１ｃに記憶された地図情報等に基づいて、車両Ｃの現在地から入力部１ｄを介して設定された目的地までの経路を算出する。そして、地図記憶部１ｃに記憶されている地図情報を用いて算出した経路へ誘導するための地図画面を生成し、表示部１ｅにより表示させる。
【００４３】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す位置情報（経度、緯度等の情報）を生成し、カーナビ制御部１ａに出力する。
【００４４】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００４５】
入力部１ｄは、操作キーや表示部１ｅと一体に構成されるタッチパネル等から構成されている。入力部１ｄは、これらの操作に対応する操作信号を生成し、制御部４に出力し、操作手段として機能する。
【００４６】
表示部１ｅは、モニタを備え、制御部４の制御に従ってモニタ上に各種情報を表示する。例えば、設定画面や地図画面、センター装置３０から受信したコンテンツ情報のコンテンツの画面等の各種画面や、キャンセルボタンＢ１が表示された画面（図８参照）を表示し、表示手段として機能する。
【００４７】
記憶部１ｆは、メモリから構成され、制御部４やカーナビ制御部１ａにより実行される制御プログラム、プログラムの実行に必要なパラメータやデータ等を記憶すると共に、記憶部１ｆは、センター装置３０から路側無線装置２０を介して無線で受信された複数のコンテンツ情報（情報グループ）を記憶する記憶手段として機能する。
【００４８】
音声出力部１ｇは、音声処理部、Ｄ／Ａ変換器、増幅器、スピーカ等を備えて構成される。音声出力部１ｇは、制御部４から指示された音声データをＤ／Ａ変換器によりアナログ信号に変換してスピーカにより音声出力する。また、音声出力部１ｇは、制御部４から指示された表音文字列データに基づいて音声処理部により合成音声信号を生成し、スピーカにより音声出力する。
【００４９】
通信モジュール２は、光通信用、ＦＭ通信用、２．４ＧＨｚ電波通信用のアンテナをそれぞれ備え、通信センターと光通信、ＦＭ通信、電波通信等の各種通信を行う。例えば、通信モジュール２は通信センターから渋滞情報や道路交通情報等を受信し、制御部４に出力する。なお、通信センターとしてはＶＩＣＳセンター等を挙げることができるが、これに限らず、また、通信センターから受信する情報としては、渋滞情報や道路交通情報に限らない。
【００５０】
ＤＳＲＣ部３は、ＤＳＲＣ制御部３ａ、通信部３ｂ、記憶部３ｃ、ＥＴＣ処理部３ｄ、ＩＣカードＩ／Ｆ３ｅを備えて構成されており、ＤＳＲＣによるＥＴＣ利用のための処理や、センター装置３０からコンテンツ情報を受信するための通信処理等を行う。
【００５１】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｄにより決済情報の書込処理を行わせる。
また、通信部３ｂにより路側無線装置２０を介してセンター装置３０からコンテンツ情報を受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツ情報を受信した場合にはこれを制御部４に出力する。
【００５２】
通信部３ｂは、例えば車両Ｃのダッシュボード上でフロントガラス近傍等の位置に固設されたアンテナを備え、このアンテナを介して路側無線装置２０やＥＴＣ基地局等と、ＤＳＲＣの電波の送受信を行う。
【００５３】
記憶部３ｃは、ＤＳＲＣ制御部３ａにより実行される制御プログラム等を記憶している。また、記憶部３ｃにはアップリンク情報記憶領域Ｍが設けられている。アップリンク情報記憶領域Ｍは、センター装置３０に情報を提供するために専用に設けられた記憶領域であり、アップリンク情報の他、車載器１０の特性情報が記憶される。
【００５４】
特性情報とは、車載器１０の機器特性に関する情報をいう。特性情報には、車載器１０に個々に割り振られた識別情報を示す車載器ＩＤ、車載器１０が対応できる言語を示す対応言語、地図の測地系、対応可能な著作権管理情報、表示部１ｅのモニタ解像度、ＳＶＧ（Scalable Vector Graphics）対応、記憶部１ｆに記憶されるコンテンツ情報の記憶可能容量を示すメモリ容量等の項目の情報が含まれる。
【００５５】
アップリンク情報とは、センター装置３０において送信するコンテンツ情報を選択するために用いる情報である。アップリンク情報には、ユーザがコンテンツ情報の配信について契約をしたサービス事業者の特定情報、車両Ｃの目的地情報、経由地情報、累計走行距離情報、過去の立ち寄り地情報、ユーザの嗜好情報、受信再生履歴情報等が含まれる。アップリンク情報は、制御部４によってサービス事業者に応じた内容でサービス事業者毎に生成され、最新の内容となるように制御部４が常に更新を行っている。
【００５６】
サービス事業者の特定情報は、ユーザが予めコンテンツ情報の配信について契約したサービス事業者を特定する情報であり、例えば事業者コード、事業者名等である。
車両Ｃの目的地情報は、カーナビ部１で設定された目的地の緯度、経度の情報であり、経由地情報はカーナビ部１で設定された目的地までの誘導経路において経由する地点の緯度、経度の情報である。また、累計走行距離情報はＤＳＲＣ部３のセットアップ（起動）時点から現在までの車両Ｃの累計走行距離の情報であり、過去の立ち寄り地情報は過去に車両Ｃが停車した（つまり車載器１０の電源がＯＮ又はＯＦＦされた）地点の緯度、経度の情報及び時刻情報である。
【００５７】
嗜好情報は、センター装置３０においてユーザの嗜好に応じたコンテンツを選択するのに用いる情報である。嗜好情報は、コンテンツを分類する複数のカテゴリ毎にユーザが好むか好まないかを示す情報を含む。このカテゴリは、「暮らし」、「買い物」等のようにコンテンツの分類を示すものであり、サービス事業者が任意に設定できるものである。
【００５８】
受信再生履歴情報は、センター装置３０から配信されたコンテンツ情報に付与されている情報コード及びその再生の履歴の情報である。履歴の情報は、受信したコンテンツ情報のうち、実際に表示部１ｅに表示される等して再生されたコンテンツ情報の情報コードがあり、再生時の緯度経度情報や時刻情報等が含まれることもある。
【００５９】
ＥＴＣ処理部３ｄは、ＩＣカードＩ／Ｆ３ｅに挿抜されるＩＣ付きクレジットカード又はデビットカード等に対して決済情報等の読み書きを行う。
【００６０】
ＩＣカードＩ／Ｆ３ｅは、上記クレジットカード等のスロットを備え、このスロットに挿入されたクレジットカード等のＩＣとＥＴＣ処理部３ｄとの間で情報のやりとりを仲介する。
【００６１】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツ情報の保存、再生制御等を行う。
【００６２】
また、第１実施形態における制御部４は、入力部１ｄによりコンテンツ情報の受信中止の指示がなされた場合、コンテンツ情報の送信を中止させる制御情報をセンター装置３０に送信させる第１制御手段として機能する。第１実施形態における制御部４は、コンテンツ情報の受信中止の指示がなされた場合、センター装置との通信状態を初期化し、制御情報として、機器特性が変更された特性情報をセンター装置３０に送信させる。特に、第１実施形態における変更された特性情報とは、コンテンツ情報を記憶する記憶部１ｆの容量不足を示す情報、例えば、記憶部１ｆのコンテンツ情報の記憶可能容量を示すメモリ容量を０に書き換えた情報とする。
【００６３】
次に、センター装置３０について説明する。
図６に、センター装置３０の機能的構成図を示す。
図６に示すように、センター装置３０は、制御部３１、入力部３２、表示部３３、記憶部３４、通信部３５を備えて構成され、記憶部３４に記憶されているコンテンツ情報を路側無線装置２０を介して車載器１０に配信する。
【００６４】
制御部３１は、ＣＰＵ、ＲＡＭ等から構成され、記憶部３４に記憶された制御プログラムとの協働により各種演算を行う他、各部の集中制御を行う。
例えば、制御部３１は、記憶部３４に保存されているコンテンツを読み出して編成したり、編成したコンテンツ情報の送信制御を行う。なお、ここで「編成」とは、送信するコンテンツを選択し、選択したコンテンツを図３及び図４に示すような配信用のフォーマットに合わせてデータ構築することをいう。
【００６５】
また、第１実施形態における制御部３１は、車載器１０から送信される制御情報（特性情報）に基づいてコンテンツ情報を配信する。この特性情報が記憶部１ｆの容量不足を示す特性情報、例えば、メモリ容量が０の特性情報を受信した場合、当該車載器１０へのコンテンツ情報の送信を中止する第２制御手段として機能する。
【００６６】
入力部３２は、キーボード等を備えて操作入力を受け付け、当該操作入力に応じた操作信号を制御部３１に出力する。
【００６７】
表示部３３はディスプレイを備え、制御部３１の表示制御に従ってディスプレイ上に各種画面を表示する。
【００６８】
記憶部３４は、制御部３１により実行されるプログラムの他、プログラムの実行に必要な各種データを記憶する。また、記憶部３４は配信すべきコンテンツを記憶している。
また、ユーザはコンテンツ情報の配信サービスに加入する契約を行う際、会員登録を行うために、記憶部３４はこの会員登録されたユーザの氏名、住所等の特定情報を記憶する他、ユーザが所有する車載器１０の車載器ＩＤ、ユーザの嗜好情報等の情報をユーザ毎にデータベース化して記憶する。
【００６９】
通信部３５は、路側無線装置２０とＤＳＲＣ通信を行うための通信用インターフェイスを備え、制御部３１の通信制御に従って通信処理を実行する。
【００７０】
次に、動作について説明する。
図７に、第１実施形態におけるコンテンツ情報を配信する際のセンター装置３０、路側無線装置２０、車載器１０の処理の流れを示す図を示し、説明する。
【００７１】
まず車両Ｃのエンジンが起動し、車載器１０の電源が投入されると（ステップＳ１）、制御部４は車載器１０の特性情報を生成し、記憶部３ｃのアップリンク情報記憶領域Ｍに書き込む（ステップＳ２）。特性情報は、制御部４が表示部１ｅや記憶部１ｆ等の各部に問い合わせるか、或いは予め記憶部１ｆに記憶されている情報を読み出す等して取得し、アップリンク情報記憶領域Ｍの対応する領域に書き込む。なお、実際には書込を指示する制御情報をＤＳＲＣ制御部３ａに出力し、このＤＳＲＣ制御部３ａがアップリンク情報記憶領域Ｍに書き込む。
【００７２】
その後、車両Ｃが走行を開始し、路側無線装置２０の路側エリアＺに進入すると（エリアイン）、路側無線装置２０は車両Ｃを検出し、車載器１０のＤＳＲＣ部３とＤＳＲＣ通信による接続処理を開始する（ステップＳ３ａ、Ｓ３ｂ）。すなわち、路側無線装置２０からＤＳＲＣの電波を送出し、車載器１０からの応答が得られると、通信路を確立する。通信路を確立すると、路側無線装置２０はセンター装置３０に対し接続が完了した旨の通知情報を送信する（ステップＳ４ａ）。一方、車載器１０のＤＳＲＣ部３は制御部４に対し接続が完了した旨の通知情報を出力する（ステップＳ４ｂ）。なお、ＤＳＲＣ接続時には、車載器１０の記憶部３ｃ等に記憶されている車載器１０を識別するための車載器ＩＤがセンター装置３０に対して送信されている。
【００７３】
次いで、路側無線装置２０が車載器１０のＤＳＲＣ部３に対し、特性情報の送信要求を行うと、ＤＳＲＣ部３は記憶部３ｃのアップリンク情報記憶領域Ｍに書き込まれている特性情報を路側無線装置２０に送信する（ステップＳ５）。特性情報は路側無線装置２０を介してセンター装置３０に送信される。次いで、制御部４はアップリンク情報を生成し、アップリンク情報記憶領域Ｍに書き込む（ステップＳ６）。
【００７４】
センター装置３０は、車載器１０に対し定期的にポーリングを行って（ステップＳ７）、アップリンク情報記憶領域Ｍに書き込まれたアップリンク情報を要求する。
車載器１０のＤＳＲＣ部３は、センター装置３０からのポーリングに応じてアップリンク情報記憶領域Ｍに記憶されているアップリンク情報を、路側無線装置２０を介してセンター装置３０に送信する（ステップＳ８）。
【００７５】
センター装置３０は、記憶部３４に記憶されているコンテンツ情報のうち、受信した特性情報及びアップリンク情報に応じたコンテンツ情報を読み出し、特性情報に含まれるメモリ容量に基づいて、コンテンツ情報を記憶するための容量不足でないかを判別し、容量不足でない場合には、読み出したコンテンツ情報を車載器１０に送信し（ステップＳ９）、メモリ容量が０である場合等のメモリ容量不足である場合には、コンテンツ情報の送信不可と判別し、コンテンツ情報を送信せずに本処理を終了する。
【００７６】
特性情報及びアップリンク情報に応じて選択されて読み出されるコンテンツ情報としては、例えば、特性情報に含まれる対応できる言語の情報が「日本語」であり、アップリンク情報に含まれる嗜好情報のカテゴリが「洋画」や「アニメ」等であれば、日本語対応であって嗜好情報のカテゴリが「洋画」や「アニメ」であるコンテンツ情報となる。
【００７７】
車載器１０の制御部４は、センター装置３０からコンテンツ情報の受信を開始すると、キャンセルボタンＢ１と受信状況とを示す画面を表示する（ステップＳ１０）。尚、第１実施形態ではコンテンツ情報の受信を開始してからキャンセルボタンＢ１と受信状況とを示す画面を表示するとしたが、この限りではない。例えば、キャンセルボタンと受信状況を示す画面とを別体として構成し、個々に表示しても良い。また、表示のタイミングについても、キャンセルボタンについては、コンテンツの受信開始を待たずに、例えばエリアインしてＤＳＲＣ接続が確認されてすぐに表示しても良い。その場合は、エリアインしたものの、コンテンツの受信を望まない場合に有効となる。
【００７８】
図８に、ステップＳ１０において表示される画面の例を示す。
図８に示す画面Ｇ１は、受信状況の情報を示す受信状況表示領域Ｅ１と、キャンセルボタンＢ１を備える。受信状況表示領域Ｅ１には、受信中である旨を示すメッセージや、受信中のコンテンツ情報の実情報量に対して受信済みの情報量を示す情報、その割合を示すインジケータ等が表示される。キャンセルボタンＢ１は、コンテンツ情報の受信中止の指示を受け付け、操作手段として機能する。
【００７９】
なお、ステップＳ１０におけるキャンセルボタンＢ１の表示処理は、配信されている対象コンテンツ情報が即時再生である場合（当該コンテンツにおけるＩＤ０３の即時再生／蓄積コードで「即時再生」となっている場合）には、キャンセルボタンＢ１を表示させず、ステップＳ１４に移行して、コンテンツ情報の送信を中止させない制御としてもよい。更に、コンテンツ情報の受信開始タイミングと、キャンセルボタンＢ１の生成及び当該キャンセルボタンＢ１の押下信号の有効タイミングとの間に時間差（例えば、２〜５秒程度）を設け、情報量が小さいコンテンツ情報、即ち、設定された時間差以内に受信が完了するコンテンツ情報を受信する際には、ステップＳ１４に移行して、キャンセルボタンＢ１によるコンテンツ情報の送信中止制御を実行しない制御としてもよい。
【００８０】
車載器１０の制御部４は、ステップＳ１０において表示した画面のキャンセルボタンＢ１が押下されたか否か、即ち、受信中止の指示が入力部１ｄにより受け付けられたか否かを判別し（ステップＳ１１）、キャンセルボタンＢ１が押下された場合（ステップＳ１１；Ｙ）、ＤＳＲＣ部３に路側無線装置２０との通信路を遮断させる指示と通信状態を初期状態に戻す初期化（リセット）の指示を出力し、擬似的に一旦エリアアウトした状態とする（ステップＳ１２）。また、特性情報のメモリ容量を０に書き換え（ステップＳ１３）、ステップＳ３ａ、Ｓ３ｂに戻る。
【００８１】
センター装置３０は、配信すべきコンテンツ情報を全て配信すると、配信終了を通知するメッセージ情報を制御部３１が生成して車載器１０に送信する（ステップＳ１４）。この配信終了のメッセージ情報はユーザに対しエリアアウトを促すためのものであり、車載器１０はこのメッセージ情報を表示する。
【００８２】
一方、車載器１０の制御部４は、キャンセルボタンＢ１が押下されていない場合（ステップＳ１１；Ｎ）であって配信終了の通知を受信した場合、受信し終えたコンテンツ情報を記憶部１ｆに保存する（ステップＳ１５）。
【００８３】
その後、一定時間路側無線装置２０との通信が途絶えると、車載器１０の制御部４は、配信が終了されたと判断してアップリンク情報を削除する制御を行う（ステップＳ１６）。この制御に応じて、ＤＳＲＣ制御部３ａはアップリンク情報記憶領域Ｍ内のアップリンク情報を削除する。
【００８４】
なお、本第１実施形態では、特性情報のメモリ容量を０に書き換えることにより、センター装置３０がコンテンツ情報の送信不可と判別して、センター装置３０からのコンテンツ情報の送信を中止することを実現しているが、特性情報に含まれる他の情報、例えば、言語や解像度等をセンター装置３０が対応していない言語や解像度等に書き換えることにより、センター装置がコンテンツ情報の送信不可を判別するようにしてもよい。
【００８５】
以上のように、第１実施形態によれば、車載器１０がセンター装置３０からコンテンツ情報を受信する際にキャンセルボタンＢ１が表示された画面を表示させることにより、ユーザはコンテンツ情報の受信中止を指示できる。また、車載器１０は、このユーザの指示に従って、路側無線装置２０を介してセンター装置３０との通信状態を初期化（リセット）して擬似的に一旦エリアアウトした状態を作り出すと共に（ステップＳ１２参照）、特性情報のメモリ容量を強制的に０に書き換えた特性情報をセンター装置３０に送信すること（ステップＳ１３参照）により、当該車載器１０とセンター装置３０との通信が再度確立された後、メモリ容量が０である特性情報がアップリンクされ、センター装置３０側では車載器１０のメモリ容量が０であることからコンテンツ情報の送信付加でありコンテンツ情報の配信は行なわないという判別が行われ（ステップＳ９参照）、コンテンツ情報の配信処理が終了することとなるため、センター装置３０からのコンテンツ情報の受信を中止できる。
【００８６】
［第２実施形態］
第２実施形態に係る配信システムの構成は第１実施形態と同一であり、入力部１ｄによりコンテンツ情報の受信中止の指示がなされた場合、コンテンツ情報の送信を中止させる制御情報がコンテンツ情報の受信の中止を示す受信中止通知情報であり、動作が異なるのみである。よって、同一の構成部には同一の符号を付し、異なる動作部分のみ説明する。
【００８７】
図９に、第２実施形態におけるコンテンツ情報を配信する際のセンター装置３０、路側無線装置２０、車載器１０の処理の流れを示す図を示し、説明する。
【００８８】
図９に示すステップＳ１〜Ｓ８、Ｓ１４〜Ｓ１６の処理は、第１実施形態において図７を参照して説明したステップＳ１〜Ｓ８、Ｓ１４〜Ｓ１６と同一の処理である。よって、ステップＳ１〜Ｓ８、Ｓ１４〜Ｓ１６の処理については説明を省略し、第２実施形態に特徴的な図９のステップＳ２１〜Ｓ２７についてのみ説明する。
【００８９】
センター装置３０は、記憶部３４に記憶されているコンテンツ情報のうち、受信した特性情報及びアップリンク情報に応じたコンテンツ情報を読み出し、読み出したコンテンツ情報を車載器１０に送信する（ステップＳ２１）。特性情報及びアップリンク情報に応じて選択されて読み出されるコンテンツ情報は、第１実施形態と同様であるため、説明は省略する。
【００９０】
車載器１０の制御部４は、センター装置３０からコンテンツ情報の受信を開始すると、キャンセルボタンＢ１と受信状況とを示す画面を表示する（ステップＳ２２）。なお、ステップＳ２２において表示される画面の例は、第１実施形態の図８に示す画面と同様であるため、図示及び説明は省略する。
【００９１】
車載器１０の制御部４は、ステップＳ２２において表示した画面のキャンセルボタンＢ１が押下されたか否か、即ち、受信中止の指示が入力部１ｄにより受け付けられたか否かを判別し（ステップＳ２３）、キャンセルボタンＢ１が押下された場合（ステップＳ２３；Ｙ）、ＤＳＲＣ部３に対し、コンテンツ情報の受信の中止要求を行い（ステップＳ２４）、ＤＳＲＣ部３は、当該受信の中止要求に応じた受信中止通知情報を路側無線装置２０に送信する（ステップＳ２５）。
【００９２】
センター装置３０は、路側無線装置２０から受信中止通知情報を受信し、コンテンツ情報の送信の割り込みがされたか否かを判別し（ステップＳ２６）、コンテンツ情報の送信の割り込みがされた場合（ステップＳ２６；Ｙ）、コンテンツ情報の送信を中止し、コンテンツ情報の送信を中止したメッセージ情報（送信中止情報）を制御部３１が生成して車載器１０に送信する（ステップＳ２７）。車載器１０はこのメッセージ情報を表示する。
【００９３】
センター装置３０は、コンテンツ情報の送信の割り込みがされていない場合（ステップＳ２６；Ｎ）、配信すべきコンテンツ情報を全て配信すると、配信終了を通知するメッセージ情報を制御部３１が生成して車載器１０に送信する（ステップＳ１４）。
【００９４】
一方、車載器１０の制御部４は、キャンセルボタンＢ１が押下されていない場合（ステップＳ２３；Ｎ）であって配信終了の通知を受信した場合、受信し終えたコンテンツ情報を記憶部１ｆに保存する（ステップＳ１５）。
【００９５】
以上のように、第２実施形態によれば、第１実施形態と同様に、車載器１０がセンター装置３０からコンテンツ情報を受信する際にキャンセルボタンＢ１が表示された画面を表示させることにより、ユーザはコンテンツ情報の受信中止を指示できる。また、車載器１０は、このユーザの指示を受信中止通知情報としてセンター装置３０に送信することにより、センター装置３０は、当該受信中止通知情報に応じてコンテンツ情報の送信を中止することができる。
【００９６】
以上のように、第１、２実施形態によれば、車載器１０においてセンター装置３０によるコンテンツ情報の送信を中止させることが可能となり、コンテンツ情報を受信する際のユーザの利便性を向上させることができることとなる。
【図面の簡単な説明】
【００９７】
【図１】第１実施形態における配信システムの構成図である。
【図２】路側無線装置及び路側エリアを説明するための図である。
【図３】コンテンツ情報のデータ構成例を示す図である。
【図４】各ＩＤの情報の概要を示す図である。
【図５】車載器１０の構成図である。
【図６】センター装置の機能的構成図である。
【図７】第１実施形態におけるコンテンツ情報を配信する際のセンター装置、路側無線装置、車載器の処理の流れを示す図である。
【図８】ステップＳ１０において表示される画面の例を示す図である。
【図９】第２実施形態におけるコンテンツ情報を配信する際のセンター装置、路側無線装置、車載器の処理の流れを示す図である。
【符号の説明】
【００９８】
１  カーナビ部
１ａ  カーナビ制御部
１ｂ  現在地検出部
１ｃ  地図記憶部
１ｄ  入力部
１ｅ  表示部
１ｆ  記憶部
１ｇ  音声出力部
２  通信モジュール
３  ＤＳＲＣ部
３ａ  ＤＳＲＣ制御部
３ｂ  通信部
３ｃ  記憶部
３ｄ  ＥＴＣ処理部
３ｅ  ＩＣカードＩ／Ｆ
４  制御部
１０  車載器
２０  路側無線装置
２０ａ  本体装置
２０ｂ  アンテナ
３０  センター装置
３１  制御部
３２  入力部
３３  表示部
３４  記憶部
３５  通信部
１００  配信システム
Ｂ１  キャンセルボタン
Ｃ  車両
Ｅ１  受信状況表示領域
Ｇ１  画面
Ｍ  アップリンク情報記憶領域
Ｎ  ネットワーク
Ｚ  路側エリア
【図１】
2009230261.tif 000003
【図２】
2009230261.tif 000004
【図３】
2009230261.tif 000005
【図４】
2009230261.tif 000006
【図５】
2009230261.tif 000007
【図６】
2009230261.tif 000008
【図７】
2009230261.tif 000009
【図８】
2009230261.tif 000010
【図９】
2009230261.tif 000011